(57)【特許請求の範囲】
【請求項１】
水を収容する空間を提供するタブボディーと、
前記タブボディーの上面を覆い、投入口を提供するタブカバーと、
前記タブボディーの内部に位置し、衣類を収容する空間を提供するドラムと、
前記投入口を開閉するドアと、
前記ドアを前記タブカバーに回転可能に結合させるヒンジと、
前記ドアの一部を前記タブカバーに着脱可能に結合させる固定部と、
前記ドアと前記投入口のいずれか一つに備えられ、前記ドアが前記投入口を閉鎖したときに前記投入口を密閉するシーリング部と、を含み、
前記固定部が備えられた方向に位置する前記シーリング部の部分は前記ヒンジが備えられた方向に位置する前記シーリング部の部分の直径とは違う直径を有することを特徴とする、衣類処理装置。
【請求項２】
前記シーリング部は断面がＯ字形に形成され、前記固定部が備えられた方向に位置する前記シーリング部の部分は前記ヒンジが備えられた方向に位置する前記シーリング部の部分の直径より大きい直径を有する、請求項１に記載の衣類処理装置。
【請求項３】
前記シーリング部は断面がＣ字形に形成され、前記固定部が備えられた方向に位置する前記シーリング部の部分は前記ヒンジが備えられた方向に位置する前記シーリング部の部分の直径より大きい直径を有する、請求項１に記載の衣類処理装置。
【請求項４】
水を収容する空間を提供するタブボディーと、
前記タブボディーの上面を覆い、投入口を提供するタブカバーと、
前記タブボディーの内部に位置し、衣類を収容する空間を提供するドラムと、
前記投入口を開閉するドアと、
前記ドアを前記タブボディーに回転可能に結合させるヒンジと、
前記ドアの一部を前記タブボディーに着脱可能に結合させる固定部と、
前記ドアと前記投入口のいずれか一つに備えられ、前記ドアが前記投入口を閉鎖したときに前記投入口を密閉させるシーリング部と、を含み、
前記シーリング部は、
Ｃ字形の断面を有するシーリングボディーと、
前記シーリングボディーから伸びて前記投入口に挿入される挿入部と、を含み、
前記ヒンジが位置する方向に備えられた前記挿入部の部分は、前記シーリングボディーから、前記ドアが前記投入口を開放したときに前記ドアまたは前記シーリングボディーに残留する水を前記投入口内に案内するための長さに伸びることを特徴とする、衣類処理装置。
【請求項５】
前記シーリング部は断面の中心を通過する水平線を基準に非対称に構成される、請求項４に記載の衣類処理装置。
【請求項６】
前記シーリング部は、
前記シーリングボディーを前記ドアに固定させるボディー固定部と、
前記シーリングボディーから前記挿入部の外側に伸び、前記投入口に密着できるよう備えられる突出部と、をさらに含む、請求項４に記載の衣類処理装置。
【請求項７】
前記固定部が備えられた方向に位置する前記シーリングボディーの自由端間の距離は前記ヒンジが備えられた方向に位置する前記シーリングボディーの自由端間の距離より長い、請求項４に記載の衣類処理装置。
【請求項８】
前記固定部が備えられた方向に位置する前記シーリングボディーの部分は前記ヒンジが備えられた方向に位置する前記シーリングボディーの部分の厚さより大きい厚さを有する、請求項７に記載の衣類処理装置。
【請求項９】
出入口を備えたキャビネットと、
前記タブボディーを収容する空間を提供し、前記出入口を通じて前記キャビネットから引出し可能に構成されるドローアと、をさらに含む、請求項７に記載の衣類処理装置。
【請求項１０】
前記ドローアが前記キャビネットから引き出されるとき、前記ドアが前記出入口と干渉することを防止するガイドをさらに含む、請求項９に記載の衣類処理装置。
【請求項１１】
前記ガイドは前記キャビネットの内部に回転可能に備えられるホイールを含み、
前記ドローアの上面から前記ホイールの最下端までの距離は前記ドローアの上面から前記出入口までの距離より短い、請求項１０に記載の衣類処理装置。
【請求項１２】
前記ドローアが前記キャビネットの内部に挿入されて既設定の基準位置に到逹したか又は前記ドローアが前記キャビネットの内部に挿入された状態で前記ドアが前記投入口を開放したかの少なくとも一つを判断する位置感知部をさらに含む、請求項９に記載の衣類処理装置。
【請求項１３】
前記ドローアが前記キャビネットの内部に挿入されたが前記基準位置に到逹しなかったことを使用者に通知するか、あるいは前記ドローアが前記キャビネットの内部に挿入された状態で前記ドアが前記投入口を開放したことを使用者に通知する表示部をさらに含む、請求項１２に記載の衣類処理装置。
【請求項１４】
前記表示部は、文字又は記号を表示するか、音を発生させるか、あるいは光を発散するように構成される、請求項１３に記載の衣類処理装置。
【請求項１５】
前記表示部は、ＬＣＤ、スピーカー又はランプの少なくとも一つを含む、請求項１４に記載の衣類処理装置。
【請求項１６】
前記シーリングボディーに備えられ、前記シーリングボディーの断面がＣ字形になるようにする開口部をさらに含み、
前記開口部は前記シーリングボディーが形成する面のうち前記投入口が位置する方向の反対方向に位置する、請求項４に記載の衣類処理装置。
【発明の詳細な説明】
【技術分野】
【０００１】
本発明は衣類処理装置に関するものである。
【背景技術】
【０００２】
一般に、衣類処理装置は衣類（洗濯対象物、乾燥対象物）を洗濯する装置、衣類を乾燥する装置、衣類の洗濯及び乾燥を一緒に遂行することができる装置を含む概念である。
【０００３】
従来の衣類処理装置は、装置の前面に備えられた投入口を通じて衣類を装置に投入するフロントローディング方式と、装置の上面に備えられた投入口を通じて衣類を装置に投入するトップローディング方式に区分された。
【０００４】
トップローディング方式の従来の衣類処理装置は、キャビネット、上面に投入口が備えられ、キャビネットの内部に備えられるタブ、タブの内部に回転可能に備えられたドラム、及び投入口を開閉するドアを含むように構成されることができた。
【発明の概要】
【発明が解決しようとする課題】
【０００５】
本発明は、ドローアがキャビネットの内部に挿入された状態でドアが投入口を開放しても、ドローアがキャビネットから引き出されることができる衣類処理装置を提供することを解決しようとする課題とする。
【０００６】
また、本発明は、投入口を密閉させる効果に優れたシーリング部を含む衣類処理装置を提供することを解決しようとする課題とする。
【０００７】
また、本発明は、ドローアがキャビネットに収容された状態でドアが開かれるとき、これを感知する衣類処理装置を提供することを解決しようとする課題とする。
【０００８】
また、本発明は、ドアが投入口を閉鎖したとき、これを固定することができる手段を提供する衣類処理装置を提供することを解決しようとする課題とする。
【０００９】
また、本発明は、シーリング部がドアに均一に付着することができる衣類処理装置を提供することを解決しようとする課題とする。
【００１０】
また、本発明は、シーリング部がドアに堅固に付着することができる衣類処理装置を提供することを解決しようとする課題とする。
【００１１】
また、本発明は、ドローアがキャビネットに収容された状態でドアが開放されれば使用者が即時措置することができるように知らせることができる手段を備えた衣類処理装置を提供することを解決しようとする課題とする。
【００１２】
また、本発明は、投入口が閉曲線形（円形、楕円形、多角形など）に形成されるとともにシーリング部材が中空バー状に形成される場合、シーリング部材の両端に別個の接着面を備えない衣類処理装置を提供することを解決しようとする課題とする。
【００１３】
また、本発明は、シーリング部材の両端を接着する必要がなくてシーリング部材の全領域の弾性力が一定になる衣類処理装置を提供することを解決しようとする課題とする。
【００１４】
また、本発明は、投入口を開閉するドアの周囲にヒンジを中心に回転するドアの後方部分とドアの前方部分で厚さが違うシーリング部材を提供し、ドアが投入口から分離すされれば弾性力によって易しく開かれるようにする衣類処理装置を提供することを解決しようとする課題とする。
【課題を解決するための手段】
【００１５】
その他の利点、目的、特徴は一部が以下の詳細な説明に開示され、一部が以下の説明から当業者に明らかになるか実施によって分かるであろう。前記目的及び他の利点は明細書及び請求項だけではなく図面に具体的に開示した構造から実現及び達成することができる。
【００１６】
本発明は、上述した課題を解決するために、水を収容する空間を提供するタブボディー、前記タブボディーの上面をなすタブカバー、前記タブカバーに貫設された投入口、前記タブボディーの内部に回転可能に備えられ、前記投入口を通じて供給される衣類を収容する空間を提供するドラム、前記投入口を開閉するドア、前記ドアを前記タブカバーに回転可能に結合させるヒンジ、前記ドアを前記タブカバーに着脱可能に結合させる固定部、及び前記ドアと前記投入口のいずれか一つに備えられ、前記ドアが前記投入口を閉鎖したときに前記投入口を密閉させるシーリング部を含み、前記固定部が備えられた方向に位置する前記シーリング部の部分は前記ヒンジが備えられた方向に位置する前記シーリング部の部分の直径とは違う直径を有する衣類処理装置を提供する。
【００１７】
本発明は、上述した課題を解決するために、前記シーリング部は断面が‘Ｏ’字形に形成され、前記固定部が備えられた方向に位置する前記シーリング部の部分は前記ヒンジが備えられた方向に位置する前記シーリング部の部分の直径より大きい直径を有することができる。
【００１８】
本発明は、上述した課題を解決するために、前記シーリング部は断面が‘Ｃ’字形に形成され、前記固定部が備えられた方向に位置する前記シーリング部の部分は前記ヒンジが備えられた方向に位置する前記シーリング部の部分の直径より大きい直径を有することができる。
【００１９】
本発明は、上述した課題を解決するために、水を収容する空間を提供するタブボディー、前記タブボディーの上面をなすタブカバー、前記タブカバーに貫設された投入口、前記タブボディーの内部に回転可能に備えられ、前記投入口を通じて供給される衣類を収容する空間を提供するドラム、前記投入口を開閉するドア、及び前記ドアと前記投入口のいずれか一つに備えられ、前記ドアが前記投入口を閉鎖したときに前記投入口を密閉させ、断面がＣ字形に形成されるシーリング部を含む衣類処理装置を提供する。
【００２０】
前記シーリング部はＣ字形の断面を有し、前記投入口の上部に位置するシーリングボディー、及び前記シーリングボディーから伸びて前記投入口に挿入される挿入部を含むことができる。
【００２１】
本発明は、前記シーリングボディーを前記ドアに固定させるボディー固定部、及び前記シーリングボディーが前記投入口方向に押圧されるときに前記挿入部を前記投入口に密着させることができるように前記シーリングボディーに備えられる突出部をさらに含むことができる。
【００２２】
本発明は、前記ドアを前記タブの上面に回転可能に結合させるヒンジ、及び前記ドアを前記タブの上面に着脱可能に結合させる固定部をさらに含み、前記固定部が備えられた方向に位置する前記シーリングボディーの自由端間の距離は前記ヒンジが備えられた方向に位置する前記シーリングボディーの自由端間の距離より長くてもよい。
【００２３】
前記固定部が備えられた方向に位置する前記シーリングボディーの部分は前記ヒンジが備えられた方向に位置する前記シーリングボディーの部分の厚さより大きい厚さを有することができる。
【００２４】
前記ヒンジに平行な領域に備えられた挿入部の部分前記ドアが前記投入口を開放したときに前記ドアに残留する水を前記投入口に案内するのに必要な長さを有することができる。
【００２５】
本発明は、出入口を備えたキャビネット、及び前記タブボディーを収容する空間を提供し、前記出入口を通じてキャビネットから引出し可能に構成されるドローアをさらに含むことができる。
【００２６】
本発明は、前記ドローアが前記キャビネットから引き出されるとき、前記ドアが前記出入口と干渉することを防止するガイドをさらに含むことができる。
【００２７】
前記ガイドは、前記キャビネットの内部に回転可能に備えられるホイールを含み、前記ドローアの上面から前記ホイールの最下端までの距離は前記ドローアの上面から前記出入口までの距離より短くてもよい。
【００２８】
本発明は、前記ドローアが前記キャビネットの内部に挿入されて既設定の基準位置に到逹したか又は前記ドローアが前記キャビネットの内部に挿入された状態で前記ドアが前記投入口を開放したかの中で少なくとも一つを判断する位置感知部をさらに含むことができる。
【００２９】
本発明は、前記ドローアが前記キャビネットの内部に挿入されたが前記基準位置に到逹しなかったことを使用者に通知するかあるいは前記ドローアが前記キャビネットの内部に挿入された状態で前記ドアが前記投入口を開放したことを使用者に通知する表示部をさらに含むことができる。
【００３０】
前記表示部は、文字又は記号を表示する装置、音を発生させる装置、及び光を発散する装置の少なくとも一つでなることができる。
【００３１】
本発明は、前記シーリングボディーに備えられ、前記シーリングボディーの断面がＣ字形になるようにする開口部をさらに含み、前記開口部は、前記シーリングボディーが形成する面のうち前記投入口が位置する方向の反対方向に位置することができる。
【００３２】
前記のような一般的な説明及び以降の詳細な説明は例示及び説明のためのもので、請求範囲で主張するような本発明の更なる説明を提供しようとするものであることが理解可能である。
【発明の効果】
【００３３】
また、制御部は、使用者が入力部３３１ａを介して制御命令の実行を指示しても、第２磁力感知部９９が感知した磁力の大きさが第２基準磁力以上になるまで使用者が選択した制御命令の実行を遅延させることができる。
【００３４】
前記説明から分かるように、本発明は、ドローアがキャビネットの内部に挿入された状態でドアが投入口を開放してもドローアがキャビネットから引き出されることができるようにする衣類処理装置を提供することができる。
【００３５】
また、本発明は、投入口を密閉させる効果に優れたシーリング部を備えた衣類処理装置を提供することができる。
【００３６】
また、本発明は、ドローアがキャビネットに収容された状態でドアが開かれるとき、これを感知する衣類処理装置を提供することができる。
【００３７】
また、本発明は、ドアが投入口を閉鎖したとき、これを固定することができる手段を提供する衣類処理装置を提供することができる。
【００３８】
また、本発明は、シーリング部がドアに均一に付着することができる衣類処理装置を提供することができる。
【００３９】
また、本発明は、シーリング部がドアに堅固に付着することができる衣類処理装置を提供することができる。
【００４０】
また、本発明は、ドローアがキャビネットに収容された状態でドアが開放されれば、使用者が直ちに措置することができるように知らせることができる手段を備えた衣類処理装置を提供することができる。
【００４１】
また、本発明は、投入口が閉曲線形（円形、楕円形、多角形など）に形成されるとともにシーリング部材が中空バー状に形成される場合、シーリング部材の両端に別個の接着面を備えない衣類処理装置を提供することができる。
【００４２】
また、本発明は、シーリング部材の両端を接着する必要がなくてシーリング部材の全領域の弾性力が一定になる衣類処理装置を提供することができる。
【００４３】
また、本発明は、投入口を開閉するドアの周囲にヒンジを中心に回転するドアの後方部分とドアの前方部分で厚さが違うシーリング部材を提供し、ドアが投入口から分離すされれば弾性力によって易しく開かれるようにする衣類処理装置を提供することができる。
【図面の簡単な説明】
【００４４】
【図１】衣類処理装置の一例を示す図である。
【図２】衣類処理装置の一例を示す図である。
【図３】ドローア、タブ及びドラムの結合構造を示す図である。
【図４】シーリング部の一例を示す図である。
【図５】ガイドの一例を示す図である。
【図６】ガイドの一例を示す図である。
【発明を実施するための形態】
【００４５】
図１及び図２に示したように、衣類処理装置１００は、キャビネット２、キャビネットから引出し可能に備えられるドローア３、ドローアの内部に備えられ、水を収容するタブ４、及びタブの内部に回転可能に備えられ、衣類を収容するドラム５を含むことができる。
【００４６】
キャビネット２は衣類処理装置の外観をなす手段であってもよく、単にドローア３を収容するための空間であってもよい。いずれの場合にも、キャビネット２の前面にはドローア３が挿入される出入口２１が備えられることが好ましい。
【００４７】
出入口２１は、キャビネット２の一面に備えられる開放面２１１、開放面２１１の縁部に沿って備えられるフランジ２１３を含むことができる。
【００４８】
ドローア３は、出入口２１を通じてキャビネット２の内部に挿入されるドローアボディー３１、ドローアボディー３１の前面に固定され、開放面２１１を開閉するドローアパネル３３、及びドローアボディー３１の上面をなすドローアカバー３５を含む。
【００４９】
ドローアパネル３３はドローアボディー３１の前面に固定されるから、ドローアボディー３１をキャビネット２から引き出すハンドルの役目もすることができる。
【００５０】
ドローアパネル３３が開放面２１１を閉鎖する位置まで移動すれば、ドローアパネル３３はフランジ２１３に接触するであろう。よって、フランジ２１３はドローアボディー３１をキャビネットの内部に設定された基準位置に位置させる手段であるだけでなくドローアパネル３３がキャビネット２に挿入されることを防止する手段でもある。
【００５１】
ドローアパネル３３には、衣類処理装置１００の作動に関連した制御命令を入力するとともに衣類処理装置の作動に関連したメッセージを使用者に表示するコントロールパネル３３１が備えられることができる。コントロールパネル３３１には、制御命令が入力される入力部３３１ａ、及び制御命令を含めた衣類処理装置の作動に関連した信号を表示する表示部３３１ｂが備えられることができる。表示部３３１ｂは、文字又は記号を表示する装置、音を発生させる装置及び光を発散する装置（ランプなど）の中で少なくともどの一つを含むことができる。
【００５２】
ドローアボディー３１は、開放面２１１を通じてキャビネット２に挿入されることができるとともにタブ４を収容する空間を提供することができる限り、どんな形状にも形成されることができるが、図１は六面体状のドローアボディー３１を一例として示すものである。
【００５３】
ドローアカバー３５には、ドローアボディー３１の内部を外部と連通させる第１貫通ホール３５１及び第２貫通ホール３５３が備えられる。第１貫通ホール３５１は衣類の出入のために備えられ、第２貫通ホール３５３は衣類の洗濯に必要な水を供給するために備えられるもので、その詳細な説明は後述する。
【００５４】
図２に示したように、タブ４は、ドローアボディー３１の内部に位置し、水を収容するタブボディー４１、及びタブボディー４１の上面をなすタブカバー４３を含む。タブボディー４１は上面が開放した円筒状に形成されることができる。
【００５５】
タブカバー４３は、タブボディー４１の内部をタブボディーの外部と連通させる投入口４３１、及びタブボディー４１の内部に水を流入させる供給口４３３を含むことができる。
【００５６】
投入口４３１はドローアカバーに備えられた第１貫通ホール３５１の下側に備えられなければならなく、供給口４３３はドローアカバーの第２貫通ホール３５３に連通するように構成されることが好ましい。
【００５７】
投入口４３１はタブボディー４１の内部に衣類を供給するかあるいはタブボディー４１内部の衣類をタブボディーの外部に引き出すための手段である。投入口４３１はドローアカバー５３又はタブカバー４３のいずれか一つに回転可能に備えられるドア４５によって開閉される。
【００５８】
図３はドア４５がタブカバー４３に結合された場合を示すものである。この場合、ドア４５は、ヒンジ４５３を介してタブカバー４３に回転可能に結合されるフレーム４５１、フレームに備えられるウィンドウ４５５、及びフレーム４５１をタブカバー４３に着脱可能に結合させるハンドル４５７を含むことができる。
【００５９】
ドローア３がキャビネット２から引き出された場合、使用者がタブボディー４１の内部を確認することができるようにウィンドウ４５５は透明素材でなることが好ましい。
【００６０】
図４（ａ）及び図４（ｂ）に示したように、ハンドル４５７はハンドル軸４５７ｂを介してフレーム４５１に回転可能に結合され、ハンドル４５７は固定部４７を介してタブカバー４３に着脱可能に固定される。
【００６１】
固定部４７は、ハンドル４５７とタブカバー４３のいずれか一方に突設される第１締結部（例えば、フック）４７１、及びハンドル４５７とタブカバー４３の他方に備えられ、第１締結部４７１が着脱可能に収容される第２締結部（例えば、フック収容溝）４７３を含むことができる。
【００６２】
投入口４３１を介してタブボディー４１内部の水がタブボディー４１の外部に排出されることを防止するために、フレーム４５１とタブカバー４３のいずれか一つには、ドア４５が投入口４３１を閉鎖したときにフレーム４５１と投入口４３１の間の空間を密閉させるシーリング部４９がさらに備えられることができる。
【００６３】
シーリング部４９は、フレーム４５１に固定され、フレーム４５１と投入口４３１の縁部の間の空間を密閉するシーリングボディー４９１、及びシーリングボディー４９１から延設されて投入口４３１に挿入される挿入部４９５を含むことができる。
【００６４】
シーリングボディー４９１は内部が空いている中空バー（ｈｏｌｌｏｗ  ｂａｒ）形状に形成されることもでき、Ｃ字形の断面を有するように形成されることもできる。いずれの場合にも、シーリングボディー４９１はゴムのような弾性体でなることが好ましい。
【００６５】
ただ、投入口４３１が閉曲線形（円形、楕円形、多角形など）に形成され、シーリングボディー４９１が中空バー状に形成される場合、シーリングボディー４９１には接着面が形成されるしかない欠点がある。中空バー状のシーリングボディー（断面Ｏ字形のシーリングボディー）は直線形にのみ製作されるしかないので、中空バー状のシーリングボディー４９１を閉曲線形に形成するためには、断面Ｏ字形のシーリングボディーを一定の長さで切断した後、両端を接着剤のような手段で接着しなければならないからである。
【００６６】
ところが、シーリングボディー４９１の一部領域が接着剤を介して接着されれば、接着剤に接着された領域の弾性力と他の領域の弾性力が互いに違ってシーリング部４９の効果が低下する問題が発生し得る欠点がある。したがって、シーリング部４９はＯ字形の断面よりはＣ字形の断面を有するように形成されることが好ましい。
【００６７】
シーリングボディー４９１がＣ字形の断面を有するというのはシーリングボディーの断面が閉曲線を形成しないことを意味する。すなわち、シーリングボディー４９１は開口部４９９を介してシーリングボディーの内部と外部が連通するから、Ｃ字形の断面を有することになる。
【００６８】
開口部４９９はシーリングボディー４９１がなす面のうち投入口４３１の反対方向に位置する面に備えられることが好ましい。開口部４９９が投入口４３１に向かう方向に位置すれば、ドア４５の開放時、ドアに残留する洗濯水がタブ４に移動することができずに開口部４９９に残留することになる問題が発生し得るからである。
【００６９】
その上、シーリングボディー４９１の断面がＣ字形に形成されれば、投入口４３１が閉曲線形に形成されても投入口４３１の形状と同一の閉曲線形のシーリングボディー４９１を接着なしで成形することができるので、接着面が備えられたシーリングボディーによって発生する問題を防止することができる。
【００７０】
シーリングボディー４９１の断面がＣ字形に形成される場合、ハンドルの固定部４７が備えられた方向に位置するシーリングボディーの自由端の間の距離Ｌ１はヒンジ４５３が備えられた方向に位置するシーリングボディーの自由端の間の距離Ｌ３より長く設定されることが好ましい。使用者が固定部４７を分離させることだけでドア４５が投入口４３１から分離できるようにすることによって使用者の便宜を向上させるためである。
【００７１】
シーリングボディー４９１の断面がＯ字形に形成される場合、上述した効果はハンドルの固定部４７が備えられた方向に位置するシーリングボディーの直径Ｒ１がヒンジ４５３が備えられた方向に位置するシーリングボディーの直径Ｒ２より長く形成されることによって具現されるであろう。
【００７２】
上述した構造を有するシーリングボディー４９１はボディー固定部４９３を介してドアのフレーム４５１に結合されることができる。
【００７３】
挿入部４９５は、投入口４３１に挿入されて投入口４３１の密閉力を高めることができる限り、どんな形状にも形成されることができる。ただ、挿入部４９５のうち、ヒンジ４５３に平行な領域に備えられた挿入部の長さＬ４は残りの領域に備えられた挿入部の長さＬ３より長く形成されることが好ましい。ドア４５が投入口４３１を開放したとき、ドア４５に残留する水が投入口４３１を通じてタブボディー４１に流入することができるようにするためである。
【００７４】
また、シーリング部４９には、シーリングボディー４９１が投入口４３１の方向に押圧されるとき、挿入部４９５を投入口４３１に密着させる突出部４９７をさらに含むことができる。このために、突出部４９７はシーリングボディー４９１に備えられるとともに挿入部４９５とシーリングボディー４９１の下部に位置する自由端の間に位置することが好ましい。
【００７５】
上述した構造を有するタブ４はタブ支持部６を介してドローアボディー３１に結合される。図２に示したように、タブ支持部６は、ドローアボディー３１に備えられる第１支持部６１、タブボディー４１に備えられる第２支持部６３、及び第１支持部と第２支持部を連結する連結部６５を含むことができる。
【００７６】
連結部６５は、第１支持部６１に装着される第１連結部６５１、第２支持部６３を支持する第２連結部６５３、及び第１連結部と第２連結部を連結するバー（ｂａｒ）６５５を含むことができる。
【００７７】
第１連結部６５１は第１支持部６１の内部に装着されるとともに第１支持部６１の内部で運動することができる形状に形成され、第２連結部６５３は第２支持部６３を支持するとともに第２支持部６３の内部で運動することができる形状に形成されることが好ましい。
【００７８】
図２は第１連結部６５１及び第２連結部６５３が球形に形成された場合を一例として示すものであり、図３は各支持部６１、６３に接触する面が半球形に形成された連結部６５１、６５３を一例として示すものである。
【００７９】
図２に示したように、バー６５５はキャビネット２の底面に対して直角をなすように形成されることができる（つまり、キャビネットの高さ方向Ｚに平行に形成されるか、あるいはドローアの底面に直角をなすように形成されることができる）。
【００８０】
少なくとも三つ以上のタブ支持部６がタブボディー４１をドローアボディー３１に結合させるように構成され、バー６５５がキャビネットの底面に対して直角をなすように構成されるので、バー６５５がＺ軸に対して所定角度で傾くように備えられる場合に比べ、タブカバー４３とドローアカバー３５の間の間隔を増やすことができる。
【００８１】
したがって、本発明に備えられたタブ支持部６は、タブボディー４１がドローアボディー３１の内部で振動してもタブカバー４３がドローアカバー３５に衝突する可能性を最小化することができる。
【００８２】
一方、バー６５５がドローアの底面に対して直角をなすように構成されれば、第１支持部６１と第２支持部６３の中で少なくとも一つはドローアボディー３１に着脱可能に構成されることが好ましい。
【００８３】
タブ支持部６が少なくとも三つ以上備えられ、第１支持部６１と第２支持部６３が共にドローアボディー３１から分離できないように構成されれば、タブボディー４１をドローアボディー３１に固定する作業者は、第２支持部６３が第１支持部６１と干渉しないようにドローアボディー３１にタブボディー４１を挿入した後、第２支持部６３が第１支持部６１を通過する垂直線上に位置するようにタブボディー４１を回転させることによってこそ第１連結部６５１を第１支持部６１に結合することができる。
【００８４】
ところが、タブ支持部のバー６５５がドローアの底面に対して直角をなすように構成される特徴は、タブボディー４１の外周面とドローアボディー３１の内周面の間の間隔Ｓを最小化して衣類処理装置１００の体積を最小化することができるが、上述した過程によって進む第１連結部６５１と第１支持部６１の組立性を悪化させ得る。このような欠点は、第１支持部６１がドローアボディー３１に着脱可能に備えられることによって解決可能である。
【００８５】
タブ４の内部に備えられるドラム５は上部に開放面（ドラム開放面）５３が備えられた円筒状のドラムボディー５１でなることができる。ドラム開放面５３は投入口４３１の下側に位置するので、投入口４３１を通じて供給される衣類はドラム開放面５３を通じてドラムボディー５１に供給されるであろう。一方、ドラムボディー５１の底面５７と円周面５５には、ドラムボディー５１の内部をタブボディー４１と連通させる多数のドラム貫通ホール５９が備えられることができる。
【００８６】
ドラムボディー５１は駆動部によってタブボディー４１の内部で回転する。駆動部は、タブボディー４１の外部に位置するとともにタブボディーの底面に固定されるステーターＭ１、ステーターが提供する回転磁界（ｒｏｔａｔｉｎｇ  ｆｉｅｌｄ）によって回転するローターＭ２、及びタブボディー４１の底面を貫くように備えられ、ドラムの底面５７とローターＭ３を連結する回転軸Ｍ３を含むことができる。この場合、回転軸Ｍ３はタブボディー４１の底面に対して直角をなすように構成されることができる。
【００８７】
上述した構造を有する衣類処理装置１００は、給水部７を介してタブ４に水を供給し、排水部８を介してタブ４に収容された水をキャビネット２の外部へ排出する。
【００８８】
図２に示したように、給水部７は、タブカバーに備えられた供給口４３３に連結された第１給水管７１、キャビネットの外部に位置する給水源に連結された第２給水管７３、及びタブカバー４３に固定され、第１給水管と第２給水管を連結する連結管７５を含むことができる。
【００８９】
第１給水管７１はドローアカバー３５に備えられた第２貫通ホール３５３を介して供給口４３３と連結管７５を連結し、タブ４の振動時に第１給水管７１が連結管７５から分離されることを防止するために波形管でなることができる（図３参照）。
【００９０】
また、ドローア３がキャビネット２から引き出されるとき、第２給水管７３が連結管７５から分離されることを防止するために、第２給水管７３も波形管でなることができる。第２給水管７３は制御部によって制御される給水バルブ７７によって開閉される。
【００９１】
他の実施例において、給水部７はキャビネットの外部に位置する給水源とタブカバーに備えられた供給口４３３を連結する単一給水管でなることができる。この場合、給水管は波形管でなることが好ましい。
【００９２】
排水部８は、ドローアボディー３１に固定される排水ポンプ８１、タブボディー４１の内部の水を排水ポンプ８１に案内する第１配水管８３、及び排水ポンプ８１から排出される水をキャビネット２の外部に案内する第２配水管８５を含むことができる。この場合、第２配水管８５は波形管でなることができる。
【００９３】
上述した衣類処理装置１００は、ドローア３がキャビネット２の内部に位置する状態でドア４５が開かれれば、ドローア３をキャビネット２から引き出しにくい問題が発生し得る。すなわち、キャビネット２の内部でドア４５が開かれれば、ドローア３がキャビネット２から引き出されるときにドア４５がキャビネットの出入口２１と干渉するため、ドローア３が引き出されることができない問題が発生し得る。
【００９４】
このような問題を解決するために、本発明の衣類処理装置１００には、ドローアがキャビネットから引き出されるときにドアが出入口と干渉することを防止するガイド９５をさらに含むことができる。
【００９５】
図５を参照すると、ガイド９５はキャビネット２の内部に回転可能に備えられる少なくとも一つのホイール９５３、９５５を含むことができる。この場合、ドローアの上面からホイールの最下端までの距離Ｈ２はドローアの上面から出入口２１までの距離Ｈ１より短く設定されることが好ましい。
【００９６】
ホイール９５３、９５５はキャビネット２に直接回転可能に固定されることもでき、キャビネット２に固定されるケース９５１に回転可能に固定されることもできる。
【００９７】
出入口２１が開放面２１１とフランジ２１３を含む場合、ガイド９５は、ドローア３がキャビネット２から引き出されるときにドア４５がフランジ２１３と干渉することを防止するように構成されなければならない。この場合、ドローアカバー３５からホイールの最下端までの距離Ｈ２はドローアカバー３５からフランジ２１３までの距離より短く設定されることが好ましい。
【００９８】
図６を参照すると、ホイールは、ドローア３の引き出し方向に互いに所定距離だけ離隔して備えられる第１ホイール９５３及び第２ホイール９５５を含むことができる。第１ホイール９５３は第１軸９５３１を介してケース９５１に回転可能に固定され、出入口２１の方向に位置する第２ホイール９５５は第２軸９５５１を介してケース９５１に回転可能に固定されることができる。
【００９９】
ドローアの上面から各ホイール９５３、９５５の最下端までの距離は同一に設定されることもでき、互いに違って設定されることもできる。後者の場合、ドローア３の上面から第２ホイール９５５（出入口２１に近い位置に備えられたホイール）の最下端までの距離はドローア３の上面から第１ホイール９５３の最下端までの距離より短く設定されることが好ましい。
【０１００】
また、ドローア３の上面から第２ホイール９５５の最下端までの距離は固定部に備えられた第１締結部４７１を第２締結部４７３に結合可能な長さに設定されることもできる。ドローア３がキャビネット２から引き出されるかキャビネットに挿入される度にガイド９５によってドア４５がタブカバー４３に固定されるようにすることにより、ドア４５によってドローア３がキャビネット２から引き出されることができない問題が発生しないようにするためである。
【０１０１】
ドア４５がキャビネット２の内部で投入口４３１を開放すれば、タブボディー４１内部の水が投入口４３１を通じてタブボディーの外部に排出されることができる。このような問題が発生することを防止するために、ドア４５が投入口４３１を開放したかを判断する位置感知部をさらに含むことができる。
【０１０２】
第１位置感知部９７は、キャビネット２とドア４５のいずれか一方に備えられ、磁力を発生させる第１磁力発生部９７３、及びキャビネットとドアの他方に備えられ、第１磁力発生部９７３が提供する磁力の大きさを感知する第１磁力感知部９７１を含むことができる。
【０１０３】
図５は第１磁力発生部９７３がドア４５に固定された永久磁石でなり、第１磁力感知部９７１がケース９５１に固定されて永久磁石の磁力の大きさを感知するセンサーでなる場合を一例として示すものである。
【０１０４】
第１位置感知部９７が備えられた衣類処理装置１００において、第１磁力感知部９７１が感知した磁力の大きさが既設定の第１基準磁力未満であれば、制御部はドローア３がキャビネット２の内部に位置する状態であるだけでなくドア４５が投入口４３１を閉鎖した状態であると判断することができる。
【０１０５】
このような状態で、第１磁力感知部９７１が感知した磁力の大きさが第１基準磁力以上になれば、制御部はキャビネット２の内部に位置するドア４５が投入口４３１を開放したと判断することができる。
【０１０６】
キャビネット２の内部に位置するドア４５が投入口４３１を開放したと判断されれば、制御部は表示部３３１ｂなどによってドアがキャビネット２の内部で開放したことを使用者に通知（文字信号、記号、音信号、ランプ発光など）することが好ましい。
【０１０７】
ドローア３がキャビネット２の内部に挿入されたかを判断する第２位置感知部９９をさらに含むことができる。
【０１０８】
第２位置感知部９９は、ドローア３とキャビネット２の一方に備えられ、磁力を発生させる第２磁力発生部９９３、及びドローア３とキャビネット２の他方に備えられ、第２磁力発生部９９３が提供する磁力の大きさを感知する第２磁力感知部９９１を含むことができる。
【０１０９】
第２磁力感知部９９１及び第２磁力発生部９９３はドローアパネル３３が出入口２１を閉鎖したかを判断することができる位置にそれぞれ備えられることが好ましい。図５は第２磁力発生部９９３がドローアカバー３５の前方に固定された永久磁石でなり、第２磁力感知部９９１がケース９５１に固定され、永久磁石の磁力の大きさを感知するセンサーでなる場合を一例として示すものである。
【０１１０】
ドローア３がキャビネット２に全く挿入されていない状態で作動すれば、ドラム５の回転時に発生する振動によってドローア３がキャビネット２から引き出される問題が発生し得る。
【０１１１】
このような問題を防止するために、制御部は、第２磁力感知部９９が感知した磁力の大きさが既設定の第２基準磁力より小さければ、表示部によってこれを使用者に通知（文字信号、記号、音信号、ランプ発光など）することができる。
【図１】
0006353161.tif 000002
【図２】
0006353161.tif 000003
【図３】
0006353161.tif 000004
【図４（ａ）】
0006353161.tif 000005
【図４（ｂ）】
0006353161.tif 000006
【図５】
0006353161.tif 000007
【図６】
0006353161.tif 000008